【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】  インクジェット方式により、カチオン重合性化合物を含有するインクを加熱して基材上に出射し、該インクが基材に着弾後１．０秒以内に着弾インクに活性光線を照射して硬化を開始するインクジェット記録方法において、絶対湿度が０．００３％のときに、照射する該活性光線の照度を、４００ｍＷ／ｃｍ2以下に制御することを特徴とするインクジェット記録方法。
【請求項２】  前記基材上に出射した１色のベタ部のインク付着量が、５〜１６ｇ／ｍ2であることを特徴とする請求項１に記載のインクジェット記録方法。
【請求項３】  前記インクの最大液滴サイズが、２０ｐｌ以下であることを特徴とする請求項１または２に記載のインクジェット記録方法。
【請求項４】  インクジェット画像の形成を、４パス以上のシリアルプリター方式で行うことを特徴とする請求項１〜３のいずれか１項に記載のインクジェット記録方法。
【手続補正２】
【補正対象書類名】明細書
【補正対象項目名】００１８
【補正方法】変更
【補正の内容】
【００１８】
１．インクジェット方式により、カチオン重合性化合物を含有するインクを加熱して基材上に出射し、該インクが基材に着弾後１．０秒以内に着弾インクに活性光線を照射して硬化を開始するインクジェット記録方法において、絶対湿度が０．００３％のときに、照射する該活性光線の照度を、４００ｍＷ／ｃｍ2以下に制御することを特徴とするインクジェット記録方法。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】変更
【補正の内容】
【００２０】
２．前記基材上に出射した１色のベタ部のインク付着量が、５〜１６ｇ／ｍ2であることを特徴とする前記１に記載のインクジェット記録方法。
【手続補正５】
【補正対象書類名】明細書
【補正対象項目名】００２１
【補正方法】変更
【補正の内容】
【００２１】
３．前記インクの最大液滴サイズが、２０ｐｌ以下であることを特徴とする前記１または２に記載のインクジェット記録方法。
【手続補正６】
【補正対象書類名】明細書
【補正対象項目名】００２２
【補正方法】変更
【補正の内容】
【００２２】
４．インクジェット画像の形成を、４パス以上のシリアルプリター方式で行うことを特徴とする前記１〜３項のいずれか１項に記載のインクジェット記録方法。
【手続補正７】
【補正対象書類名】明細書
【補正対象項目名】００２３
【補正方法】変更
【補正の内容】
【００２３】
以下、本発明の詳細について説明する。
本発明者は、インクジェット画像の高画質化を図るため、基材へインク滴が着弾した直後に紫外線を照射する際のインク硬化性とシワを改善する条件について鋭意検討を重ねた結果、インクジェット方式により、カチオン重合性化合物を含有するインクを加熱して基材上に出射し、該インクが基材に着弾後１．０秒以内に着弾インクに活性光線を照射して硬化を開始するインクジェット記録方法において、絶対湿度が０．００３％のときに、照射する該活性光線の照度を、４００ｍＷ／ｃｍ2以下に制御することにより、様々な温湿度環境下であっても、インク滲み耐性、硬化性、基材との密着性に優れ、かつシワ耐性が良好な活性光線硬化型インクを用いたインクジェット記録方法を実現できることを見出したものである。
【手続補正８】
【補正対象書類名】明細書
【補正対象項目名】００２７
【補正方法】変更
【補正の内容】
【００２７】
本発明のインクジェット記録方法において、活性光線の照射条件としては、活性光線の照度を４００ｍＷ／ｃｍ2以下に制御することを特徴とし、より好ましくは１０〜３００ｍＷ／ｃｍ2であり、更に好ましくは１０〜２００ｍＷ／ｃｍ2である。照度が４００ｍＷ／ｃｍ2を超えると、特に絶対湿度の小さい環境下でシワの発生が起こりやすくなる。
【手続補正９】
【補正対象書類名】明細書
【補正対象項目名】００２９
【補正方法】変更
【補正の内容】
【００２９】
また、本発明のインクジェット記録方法においては、活性光線の照度を、４００ｍＷ／ｃｍ2以下に制御することと共に、基材上に出射した１色のベタ部のインク付着量を、５〜１６ｇ／ｍ2の範囲とすることが好ましい。インク付着量が１６ｇ／ｍ2を超えると、他の条件を最適化したとしても、シワの発生を抑えることが困難となる。これは、インク表層部と内部との反応性差が大きくなるからと考えられる。また、５ｇ／ｍ2未満では、バンディングを抑えて十分な品質を有するベタ画像を再現することが難しくなる。
【手続補正１０】
【補正対象書類名】明細書
【補正対象項目名】００３０
【補正方法】変更
【補正の内容】
【００３０】
また、本発明のインクジェット記録方法においては、活性光線の照度を、４００ｍＷ／ｃｍ2以下に制御することと共に、インクの最大液滴サイズを２０ｐｌ以下とすることが好ましく、より好ましくは２〜２０ｐｌ、更に好ましくは２〜１５ｐｌである。すなわち、出射する液滴サイズを２０ｐｌ以下という小液滴とし、逐次的に紫外線を照射することがシワの発生を抑えることができるため好ましい。
【手続補正１１】
【補正対象書類名】明細書
【補正対象項目名】００３１
【補正方法】変更
【補正の内容】
【００３１】
また、本発明のインクジェット記録方法においては、活性光線の照度を、４００ｍＷ／ｃｍ2以下に制御することと共に、インクジェット画像の形成を、４パス以上のシリアルプリター方式で行うことが好ましい。通常、インク液滴が隣接した状態で活性光線を照射すると、インク液滴の重なり部においてインク膜厚が増すため、シワが発生しやすくなる。そのため、できる限り隣接するドットが湿潤状態で重ならないよう、逐次的に活性光線を照射するシリアルプリント方式が好ましい。また、４パス以上とすることにより、１パス当たりのインク出射量を１／４に抑えることができ、大幅にシワの発生を抑制することができ、好ましくは８パス以上である。
【手続補正１２】
【補正対象書類名】明細書
【補正対象項目名】０１４３
【補正方法】変更
【補正の内容】
【０１４３】
実施例３
実施例１に記載の記録方法において、紫外線照度を１８０ｍＷ／ｃｍ2の一定条件とし、パス回数及び７２０×７２０ｄｐｉの１画素当たりの出射するインクの最大インク量を表３に記載の条件に変更した以外は同様にして、画像２２〜３３を作成し、実施例１に記載の方法と同様にして、各評価を行い、得られた結果を表３に示す。
【手続補正１３】
【補正対象書類名】明細書
【補正対象項目名】０１４４
【補正方法】変更
【補正の内容】
【０１４４】
【表３】
2005007574.tif 000001
【手続補正１４】
【補正対象書類名】明細書
【補正対象項目名】０１４５
【補正方法】変更
【補正の内容】
【０１４５】
表３より明らかなように、パス数を多くすることにより、インクの重なりが少ない状態で紫外線を照射することになるため、シワの発生が改善され、インク滲み、硬化性、密着性ともに、広範囲の温度・湿度条件において改善されていることが分かる。また、インク液滴のサイズを２０ｐｌ以下とし、１色ベタ画像当たり２０ｇ／ｍ2以下とすることで、これらの課題を改良できることが分かる。